(57)【要約】【課題】複数の原稿ジョブからなる原稿の画像処理を一括して行う場合に、ジョブセパレータシートを利用したり、読み取り原稿にページ数を記載したりすることなく、簡単に原稿ジョブごとに画像処理形態を切り替える。【解決手段】複数の原稿ジョブからなる原稿をまとめて原稿載置台にセットする場合（Ｓ１）に、各原稿ジョブの先頭ページの角の部分を所定の形状に折っておく。そして、画像処理装置において、これらの原稿の読み込み時（Ｓ５）に、原稿識別手段が原稿の角折れを認識した場合（Ｓ６でＹｅｓ）、原稿ジョブが切り替わったと識別し（Ｓ８でＹｅｓ）、画像出力時の各種設定値が変更され（Ｓ９）、画像処理制御手段は新たな出力形態で画像処理を行う。【選択図】　図１
2004064437.tif 000002
【特許請求の範囲】
【請求項１】
種類の異なる複数の原稿ジョブを読み取り、原稿ジョブごとに出力形態を異ならせて画像処理を行う画像処理装置において、
読み取り原稿の角の部分において所定の形状を認識した場合に、原稿ジョブが切り替わったと識別する原稿識別手段と、
前記原稿識別手段によって前記原稿ジョブが切り替わったと識別された場合に、画像データの出力形態を切り替える画像処理制御手段とが設けられていることを特徴とする画像処理装置。
【請求項２】
前記読み取り原稿における角の部分の所定の形状は、角折れであることを特徴とする請求項１に記載の画像処理装置。
【請求項３】
前記原稿識別手段は、前記読み取り原稿の角折れの位置及び／又は向きによって原稿ジョブの出力形態を識別し、予め設定された原稿ジョブの出力形態と一致した場合に、当該読み取り原稿が原稿ジョブの先頭ページであると判断し、
前記画像処理制御手段は、前記先頭ページの画像データの出力形態を、予め設定された原稿ジョブの出力形態に切り替えることを特徴とする請求項２に記載の画像処理装置。
【請求項４】
前記原稿識別手段は、前記読み取り原稿の角折れの位置及び／又は向きによって、原稿ジョブの出力形態を識別し、
前記画像処理制御手段は、前記原稿ジョブの出力形態に対応した画像処理に切り替えることを特徴とする請求項２に記載の画像処理装置。
【請求項５】
前記画像処理装置はさらに、前記原稿識別手段が前記読み取り原稿の角の部分の所定の形状を認識した場合に、前記出力形態の切り替えを行って良いか否かを報知する報知手段を備えることを特徴とする請求項１ないし４の何れか１項に記載の画像処理装置。
【請求項６】
前記画像処理制御手段は、前記読み取り原稿の角折れによって発生する出力画像の影を消去して画像処理を行うことを特徴とする請求項２ないし５の何れか１項に記載の画像処理装置。
【請求項７】
請求項１ないし６の何れか１項に記載の画像処理装置によって処理された画像データを出力することを特徴とする画像出力装置。
【発明の詳細な説明】
【０００１】
【発明の属する技術分野】
本発明は、読み取った画像を種々の出力条件で出力することができる複写機、プリンタ、ファクシミリ、あるいはこれらの機能を備えたデジタル複合機などに備えられ、読み取った原稿画像を適当な出力形態に変換する画像処理装置、及びそれを備えた画像出力装置に関するものである。
【０００２】
【従来の技術】
複数の原稿ジョブを同時に読み取り、各々の原稿ジョブに対して異なる処理を行うデジタル複合機などの画像出力装置においては、ジョブセパレータシートを各原稿ジョブの間に挿入してスキャナのＡＤＦにセットし読み取り動作を行うことで、各原稿ジョブに対し別々にファイリング処理したり、印刷処理したりすることができるものがある。しかしながら、このジョブセパレータシートを用いて原稿ジョブ毎に個別の画像処理を行う場合、画像処理モードの多様化に伴って、多種類のジョブセパレータシートを用意しなければならない。その上、ジョブセパレータシートの種類が多くなると、どのジョブセパレータシートを選択使用すればよいのか分かりにくくなり、操作が煩雑になるという問題点がある。
【０００３】
そこで、上記ジョブセパレータシートを用いない技術として、特開平１０−２１３８０号公報に記載のような電子ファイリングシステムが提案されている。この特開平１０−２１３８０号公報においては、原稿ジョブの総ページ数を判定するエリアを予め設定しておき、その総ページ数判定エリアの数字を認識することで原稿ジョブと他の原稿ジョブとの境目を判定している。
【０００４】
【発明が解決しようとする課題】
しかしながら、特開平１０−２１３８０号公報では、原稿ジョブに予め総ページ数を記載しておく必要があるため、原稿に総ページ数が記載されていない場合には、ユーザはページ数を数えて原稿に記載するという作業を行わなければならない。さらに、その総ページ数の認識のために文字認識技術を利用しなければならず、コストアップにも繋がってしまう。
【０００５】
本発明は、上記のような問題点に鑑みてなされたものであり、原稿の角の部分が所定の形状になっていることを認識することで、画像出力処理の切り替えを行い、原稿にページ数を記載していない場合でも、原稿ジョブごとに画像処理を行うことができる画像処理装置及びそれを備えた画像出力装置を提供することを目的とする。
【０００６】
【課題を解決するための手段】
上記の課題を解決するために、本発明に係る画像処理装置は、種類の異なる複数の原稿ジョブを読み取り、原稿ジョブごとに出力形態を異ならせて画像処理を行う画像処理装置において、読み取り原稿の角の部分において所定の形状を認識した場合に、原稿ジョブが切り替わったと識別する原稿識別手段と、前記原稿識別手段によって前記原稿ジョブが切り替わったと識別された場合に、画像データの出力形態を切り替える画像処理制御手段とが設けられていることを特徴としている。
【０００７】
上記画像処理装置は、複写機、プリンタ、ファクシミリ、スキャナなど、あるいは、これらの機能を兼ね備えた所謂デジタル複合機のように、読み取った画像情報を何らかの形態で出力する機能を備えた画像出力装置に備えられたものである。この画像処理装置は、種類の異なる複数の原稿ジョブを、そのジョブごとにユーザが出力方法（出力先）を設定するなどすれば、種々の出力形態（例えば、用紙への画像の印刷、複写、指定されたアドレスへの送信など）に対応した画像データになるように画像処理を行うことができる。なお、上記「原稿ジョブ」又は「ジョブ」とは、同じ出力形態で同じ出力先に処理される複数枚からなる一まとまりの原稿束のことを意味する。そして、上記画像処理装置は、読み取り原稿の角の部分の形状を読み取り、その角の部分が折られたり、切り取られたりして所定の形状をしていると認識した場合に、原稿ジョブが切り替わったことを識別することができる原稿識別手段と、この原稿識別手段によって原稿ジョブが切り替わったと識別された場合に、画像データの出力形態を切り替える画像処理制御手段とが設けられている。
【０００８】
上記の構成によれば、ある原稿ジョブと他の原稿ジョブとの境界のページとなる原稿の角の部分の形状を原稿ジョブが切り替わる目印となる所定の形状にしておけば、原稿識別手段は原稿ジョブが切り替わったことを認識し、設定された次の画像処理の出力形態へ切り替えることができる。これによって、複数の原稿ジョブを一括してまとめて原稿台にセッティングし、連続して画像の読み取りを行っても、原稿ジョブごとに目的とする出力形態で画像を出力させることができるので操作性が向上する。さらに、原稿ジョブを識別するためのジョブセパレータシートを用意する必要もなく、また原稿ジョブごとに総ページ数などの特徴がない場合でも、原稿の先頭ページの角を所定の形状にしておくことで簡単に複数ジョブを一括して読み取らせ、原稿ジョブごとに異なる画像処理を行うことができる。
【０００９】
前記画像処理装置において、前記読み取り原稿における角の部分の所定の形状は、角折れであることが好ましい。
【００１０】
上記の構成によれば、原稿ジョブの切り替えを行いたい読み取り原稿の角を折るという簡単な作業を行うだけで、原稿ジョブごとに画像の出力処理方法を分けることができる。また、読み取り原稿にマーキングをするなどして目印をつけると、原稿を元の状態に戻すことが面倒であるが、折るだけであれば原稿を容易に元の状態に戻すことができる。
【００１１】
また、角折れの大きさは、用紙を折り込むことで読み取り画像の画像欠けを起こさない程度に小さく、また、スキャナの解像度で角折れが認識できる程度に大きいことが好ましい。一般に印刷装置には用紙の上下左右に余白領域があり、その面積は機種により若干異なるが、その余白領域は用紙の端から３〜４ｍｍ幅程度であるため、３ｍｍ×３ｍｍ以上であることがより好ましい。即ち、用紙の角の頂点から縦横最低３ｍｍの位置から用紙の内側へ、用紙を折り込むことによって角折れを形成すればよい。なお、この角折れの大きさは、通常１０ｍｍ×１０ｍｍ程度が適当である。
【００１２】
前記画像処理装置において、前記原稿識別手段は、前記読み取り原稿の角折れの位置及び／又は向きによって原稿ジョブの出力形態を識別し、予め設定された原稿ジョブの出力形態と一致した場合に、当該読み取り原稿が原稿ジョブの先頭ページであると判断し、前記画像処理制御手段は、前記先頭ページの画像データの出力形態を、その予め設定された原稿ジョブの出力形態に切り替えるようにしてもよい。
【００１３】
ここで、上記読み取り原稿の角折れの位置とは、四角の形状をした原稿が有する４つの角のどの角であるかということを意味し、上記読み取り原稿の角折れの向きとは、角折れが読み取り画像側、あるいはその反対側のどちらに折られているかということを意味している。従って、「原稿の角折れの位置及び／又は向きによって原稿ジョブの出力形態を識別する」とは、原稿（原稿ジョブの先頭ページ）の角折れのある特定の形状が、その出力形態を示すという情報が画像処理装置内に前もって記憶されており、その情報に基づいて原稿ジョブの出力形態を識別するということを意味する。なお、上記読み取り原稿の「角折れの位置及び／又は向き」と同等の意味を示す表現として、本明細書では、読み取り原稿の「角折れの形状」という語句を用いる。
【００１４】
上記の構成によれば、原稿を読み取る場合、ユーザが予め設定した次の原稿ジョブの出力形態と一致する形状の角折れを認識するまでは、他の形状の角折れは原稿ジョブの先頭ページを示すものではないと認識して、読み飛ばすことができる。即ち、原稿搬送時に何らかのトラブルによって出来てしまった角折れについては、原稿ジョブの切り替えのために意図的に作られたものではないと認識して、読み飛ばすことができる。そのため、迅速かつより正確に原稿ジョブの切り替えポイントを識別することができる。
【００１５】
前記画像処理装置において、前記原稿識別手段は、前記読み取り原稿の角折れの位置及び／又は向きによって、原稿ジョブの出力形態を識別し、前記画像処理制御手段は、前記原稿ジョブの出力形態に対応した画像処理に切り替えるようにしてもよい。
【００１６】
上記の構成によれば、画像を出力するときに毎回ユーザ設定を入力する必要がないため、操作性を向上させることができる。この構成は、個人利用や、スモールオフィスなど、出力先が比較的少ない場合に有効である。
【００１７】
前記画像処理装置はさらに、前記原稿識別手段が前記読み取り原稿の角の部分の所定の形状を認識した場合に、前記出力形態の切り替えを行って良いか否かを報知する報知手段を備えていてもよい。
【００１８】
上記の構成によれば、読み取り原稿の角折れを認識した場合に、ユーザが原稿ジョブを識別させるために意図的に作った角折れなのか、何らかのトラブルによって出来た角折れなのかを確認することができる。そのため、トラブルによって出来てしまった角折れによって原稿ジョブの種類が切り換わったと誤って判定されることを防止することができる。
【００１９】
前記画像処理装置において、前記画像処理制御手段は、前記読み取り原稿の角折れによって発生する出力画像の影を消去して画像処理を行ってもよい。
【００２０】
通常の画像処理では、角折れなどによって原稿の角が欠落している場合には、その部分の出力画像は影となるが、上記の構成によれば、その部分にも読み取り原稿があるものとして画像処理を行うため、得られる出力画像を綺麗にすることができる。
【００２１】
本発明の画像出力装置は、前記画像処理装置によって処理された画像データを出力することを特徴とするものである。上記の構成によれば、ジョブセパレータシートなどを必要とせず、簡単に原稿ジョブごとに目的とする出力形態で画像を出力させることができる。上記画像出力装置として具体的には、複写機、ファクシミリ、プリンタ、及びこれらの機能を兼ね備えたデジタル複合機などが挙げられる。
【００２２】
【発明の実施の形態】
〔実施の形態１〕
本発明の実施の一形態について、図１ないし図４に基づいて以下に説明する。なお、本発明はこの記載に限定されるものではない。
【００２３】
本発明の画像出力装置の一例として、複写機、プリンタ、ファクシミリ、スキャナなどの機能を兼ね備えた所謂デジタル複合機を挙げることができる。そこで、本実施の形態においては、画像出力装置として複写機、プリンタ、ファクシミリ、スキャナとしての機能を兼ね備えたデジタル複合機１を例に挙げて説明する。図２は、上記デジタル複合機１の構成を示すブロック図である。図２に示すように、上記デジタル複合機１は、複数のコンピュータ（ホストＰＣ２２・２３・２４）及びファイルサーバ２５とＬＡＮによって繋がれている。
【００２４】
上記デジタル複合機１は、自動原稿搬送装置（以下、ＡＤＦと呼ぶ）１１、ＡＤＦ１１によって搬送された原稿の画像を読み取るスキャナ装置１２、読み取った画像データに様々な処理を加えて各部へ送る制御部１３、制御部に送られた画像データを格納する画像メモリ１６、ユーザが装置を操作するための表示パネル形式の操作表示部１７、読み取り原稿の角折れの形状ごとにその出力形態を記憶する設定記憶部１８、画像データを可視像として記録媒体に記録する画像形成部１９、ＬＡＮによって繋がれた外部のＰＣ、サーバなどと各種信号のやり取りをするネットワークＩ／Ｆ部２０などから構成される。
【００２５】
制御部１３には、原稿識別部１４（原稿識別手段）、画像処理部１５（画像処理制御手段）などが備えられ、スキャナ装置１２で読み取った画像データ、あるいは、装置外部よりネットワークＩ／Ｆ部２０を介して送られた画像データを目的に応じて適宜処理している。
【００２６】
続いて、上記デジタル複合機１において実施される原稿読み取り動作、及び読み取った原稿の画像データの出力処理方法について図１及び図２を用いて説明する。上記デジタル複合機１においては、図３に示すように、各原稿ジョブＡ・Ｂ・Ｃは、その先頭ページの左上の角部分を折り曲げた状態で、全てまとめて重ねられ、ＡＤＦ１１の原稿載置台上にセットされる（Ｓ１）。なお、図３において、各原稿ジョブは、左側の原稿から順に搬送されるものとする。
【００２７】
次に、ユーザは操作表示部１７において、デジタル複合機１における画像処理動作の各設定を行う。先ず、複数の原稿ジョブを連続して読み取る連続モードの設定を行う（Ｓ２）。次に、それぞれの原稿ジョブに対する出力先、また印刷を行う場合には印刷枚数などの各設定値を入力する（Ｓ３）。そして、操作表示部１７のスタートボタンを押すことによって、制御部１３から原稿読み込み指示がスキャナ装置１２へ出され（Ｓ４）、原稿の読み込みが始まる（Ｓ５）。このようにして、原稿載置台に置かれた原稿ジョブＡ・Ｂ・Ｃは、ＡＤＦ１１によって１枚づつ自動搬送され、順次スキャナ装置１２へ送られる。スキャナ装置１２へ送られた１枚１枚の原稿は、その都度画像の読み取りが行なわれるとともに、原稿識別部１４にてその角の部分が折られているか否かの識別が行われる（Ｓ６）。ここで、角折れがない（Ｎｏ）と識別されれば、画像処理部１５ではその一つ前の原稿と同じ出力形態にて画像処理が行われる（Ｓ１０）。一方、Ｓ６にて角折れがある（Ｙｅｓ）と識別された場合には、操作表示部１７に警告音とともにその旨が表示され、ユーザに角折れがあることが報知される（Ｓ７）。このとき、ユーザは次の原稿ジョブへの切り替えであるのか、何らかのトラブルによって出来た角折れをジョブの切り替わりと誤認したものであるのかを確認することができる（Ｓ８）。Ｓ８において、次の原稿ジョブであることが確認されれば（Ｙｅｓ）、画像処理部１５において出力形態に関する設定値が変更された後（Ｓ９）、出力処理が行われる（Ｓ１０）。また、Ｓ８において誤ってできた角折れであることが確認されれば（Ｎｏ）、設定値の変更は行われず、前回の原稿と同じ出力形態にて出力処理が行われる（Ｓ１０）。このようにして１枚の原稿について出力処理が行われた後、ＡＤＦ１１に次の原稿が有るか否かが確認される（Ｓ１１）。Ｓ１１において、次の原稿が有ると判断されれば（Ｙｅｓ）、Ｓ５から再び同様の工程が繰り返される。また、Ｓ１１において、ＡＤＦ１１上の原稿載置台に残りの原稿は無いと判断されれば（Ｎｏ）、処理は終了する。
【００２８】
上述のようにして、画像の読み取りから出力に至るまでの画像処理が行われる各原稿ジョブＡ・Ｂ・Ｃの出力先の一例を図４（ａ）に示す。図４（ａ）に示すように、上記各原稿ジョブＡ・Ｂ・Ｃの出力先は、ファイルサーバ２１内の個人フォルダに存在する各フォルダ「田中」、「鈴木」、「佐藤」である。そして、このとき、各原稿ジョブから読み取られた画像データは、画像処理部１５において「ｔｉｆ」ファイル形式になるように画像処理が施され、各出力先に送られる。
【００２９】
また、図４（ａ）に示す出力先への画像処理が行われる場合の、操作表示部１７に表示される各ジョブの詳細の一覧を図４（ｂ）に示す。図４（ｂ）に示すように、操作表示部１７には、原稿載置台に置かれた複数の原稿ジョブについて、各ジョブが搬送される順にジョブ１から順次設定値を入力すればよい。各設定項目は、使用目的に応じて適宜変更することができるが、本実施の形態においてはその出力先（出力形態）、及びファイル名などを設定するような構成になっている。
【００３０】
なお、本実施の形態においては、各原稿ジョブＡ・Ｂ・Ｃの出力先は全てファイルサーバ内であるが、本発明の画像処理装置はこれに限定されることなく、上記デジタル複合機１が備えている各種出力形態（例えば、印刷、ＦＡＸ送信、データ保存、メール送信）に応じた画像処理を行い、画像出力処理を行うことができる。さらに、本発明においては、内部に画像形成部などの出力手段を備えない画像処理装置に、プリンタ、ディスプレイ、サーバ、ＰＣなどの出力装置がインターフェースを介して接続されていてもよい。
【００３１】
また、本実施の形態に係る画像処理装置の画像処理方法においては、図１に示すようにＳ７の報知工程が存在するが、本発明においては、この報知工程がなくてもよい。しかしながら、この報知工程があることによって、何らかのトラブルによって出来た角折れを、誤ってジョブの切り替えと判別することを防止することができる。
【００３２】
上記の構成によれば、ＡＤＦ１１に複数の原稿ジョブをセットした場合、スキャナ装置１２は原稿ジョブの切り替わりをその角折れから判別して、複数の原稿ジョブの各々に対して異なる設定のファイリング処理や印刷処理を行うことができる。
【００３３】
〔実施の形態２〕
本発明の第２の実施の形態について図５及び図６を用いて以下に説明する。なお、本実施の形態２は、実施の形態１で説明したデジタル複合機１と同じ構成の装置で実施することが可能であるため、便宜上図２に示すデジタル複合機１を実施の形態２に係るデジタル複合機として説明する。
【００３４】
本実施の形態においては、図５（ｃ）に示すように、原稿の角折れの形状に基づいた出力形態が設定記憶部１８に記憶されている。即ち、図５（ｃ）の１に示すように、原稿の左上の角が手前側（読み取り画像側）に折られている場合はファイルサーバ、図５（ｃ）の２に示すように、原稿の右上の角が手前側（読み取り画像側）に折られている場合はＥ−ｍａｉｌの転送、図５（ｃ）の３に示すように、原稿の左上が奥側（読み取り画像の面とは反対側）に折られている場合はコピー、図５（ｃ）の４に示すように、原稿の右上の角が奥側（読み取り画像の面とは反対側）に折られている場合はＦＡＸというように、原稿の角折れの形状に基づいた各出力形態が記憶されている。
【００３５】
本実施の形態２において読み取られる複数の原稿ジョブの一例を図５（ａ）、（ｂ）に示す。本実施の形態において画像処理される原稿ジョブは、図５（ｂ）に示すように、３枚の原稿からなるジョブＡ、５枚の原稿からなるジョブＢ、２枚の原稿からなるジョブＣから構成される。上記ジョブＡは図示するように、その先頭ページの左上の角が奥側に折られているので、その出力形態はコピーである。上記ジョブＢは図示するように、その先頭ページの右上の角が手前側に折られているので、その出力形態はＥ−ｍａｉｌ転送である。上記ジョブＣは図示するように、その先頭ページの左上が手前側に折られているので、その出力形態はファイル保存である。なお、図５（ｂ）に示す各原稿は、左側のものから順にスキャナ装置１２に搬送される。
【００３６】
本実施の形態２において行われる画像データの処理方法について図６のフローチャートに基づいて説明する。各原稿ジョブＡ・Ｂ・Ｃは、その先頭ページの角部分が上述のように折り曲げられた状態で、全てまとめて重ねられ、ＡＤＦ１１の原稿載置台上にセットされる（Ｓ２１）。
【００３７】
次に、ユーザは操作表示部１７において、デジタル複合機１における画像処理動作の各設定を行う。先ず、複数の原稿ジョブを連続して読み取る連続モードの設定を行う（Ｓ２２）。次に、それぞれの原稿ジョブに対する出力先、また印刷を行う場合には印刷枚数などの各設定値を入力する（Ｓ２３）。この各設定値の入力は、操作表示部１７より行う。このときの操作表示部１７の表示画面の一例を図５（ａ）に示す。
【００３８】
図５（ａ）に示すように、１番目のジョブ（ジョブ１）から順にその出力形態、出力先を入力する。ジョブ１はコピーモードであるので、図５（ａ）のジョブ１に示されるように「コピー」を選択し、その出力先、即ち印刷された用紙が排出されるトレイを選択する。また、この場合は用紙、部数などの印刷条件を入力する。次に２番目のジョブ（ジョブ２）の出力形態、出力先を入力する。ジョブ２はメール転送モードであるので、図５（ａ）のジョブ２に示されるように「メール転送」を選択し、その出力先としてメールアドレスを記入する。また、この場合は、読み取られるジョブＢの画像データのファイル名を指定する。続いて、３番目のジョブ（ジョブ３）の出力形態、出力先を入力する。ジョブ３はファイルサーバへの保存モードであるので、図５（ａ）のジョブ３に示されるように「ファイル」を選択し、出力先としてファイルサーバ内の適当なフォルダを選択する。また、この場合もジョブ２と同様に、読み取られるジョブＣの画像データのファイル名を指定する。このように各原稿ジョブについてその種々の設定値を入力すると、表示部の最上段には合計のジョブ数が表示される。
【００３９】
そして、操作表示部１７のスタートボタンを押すことによって、制御部１３から原稿読み込み指示がスキャナ装置１２へ出され（Ｓ２４）、原稿の読み込みが始まる（Ｓ２５）。このようにして、原稿載置台に置かれた原稿ジョブＡ・Ｂ・Ｃは、ＡＤＦ１１によって１枚づつ自動搬送され、順次スキャナ装置１２へ送られる。スキャナ装置１２へ送られた１枚１枚の原稿は、その都度画像の読み取りが行なわれる。同時に、原稿識別部１４にてその角の部分が次の原稿ジョブの出力形態の設定と同じ位置及び同じ向きに折られているか否かの識別が行われる（Ｓ２６）。即ち、設定記憶部１８に記憶されている、図５（ｃ）に示すような各出力形態とその先頭ページの角折れの形状との関係と、読み取った原稿の角折れの形状が一致するか否かの識別が行われる。ここで、角折れがない、若しくは角折れの形状が一致していない（Ｎｏ）と識別されれば、画像処理部１５ではその一つ前の原稿と同じ出力形態にて画像処理が行われる（Ｓ３０）。一方、Ｓ２６にて角折れがあり、かつ、角折れの形状が設定記憶部１８に記憶されたものと一致する（Ｙｅｓ）と識別された場合には、操作表示部１７に警告音とともにその旨が表示され、ユーザに次のジョブへの切り替わりを指示する角折れであることが報知される（Ｓ２７）。このとき、ユーザは次の原稿ジョブへの切り替えであるのか、何らかのトラブルによって出来た角折れをジョブの切り替わりと誤認したものであるのかを確認することができる（Ｓ２８）。Ｓ２８において、次の原稿ジョブであることが確認されれば（Ｙｅｓ）、画像処理部１５において出力形態に関する設定値が変更された後（Ｓ２９）、出力処理が行われる（Ｓ３０）。また、Ｓ２８において誤ってできた角折れであることが確認されれば（Ｎｏ）、設定値の変更は行われず、前回の原稿と同じ出力形態にて出力処理が行われる（Ｓ３０）。このようにして１枚の原稿について出力処理が行われた後、ＡＤＦ１１に次の原稿が有るか否かが確認される（Ｓ３１）。Ｓ３１において、次の原稿が有ると判断されれば（Ｙｅｓ）、Ｓ２５から再び同様の工程が繰り返される。また、Ｓ３１において、ＡＤＦ１１上の原稿載置台に残りの原稿は無いと判断されれば（Ｎｏ）、処理は終了する。
【００４０】
上記の構成によれば、ユーザが予め設定した原稿ジョブの出力形態と、原稿識別部１４によって識別された角折れの形状から割り出される出力形態とが一致するまでは、他の形状の角折れについてはジョブの切り替えを示すものではないとして読み飛ばすことができる。即ち、実施の形態１と比較して、角折れの誤認によって画像出力形態の切り替えが誤って行われる危険性をより少なくすることができる。そのため、本実施の形態においては、報知工程（Ｓ２７）を含んだ構成としているが、この報知工程を含まずとも、出力形態の切り替えをより確実に行うことができると考えられる。
【００４１】
なお、本実施の形態２において、図５（ｃ）に示されるような角折れの形状（角折れの位置及び／又は向き）による出力形態の区別は、本発明の一例であり、本発明はこの記載に限定されることなく、種々の角折れの形状によって出力形態を区別することができる。
【００４２】
〔実施の形態３〕
本発明の第３の実施の形態について図７及び図８を用いて以下に説明する。なお、本実施の形態３は、実施の形態１で説明したデジタル複合機１と同じ構成の装置で実施することが可能であるため、便宜上図２に示すデジタル複合機１を実施の形態３に係るデジタル複合機として説明する。
【００４３】
本実施の形態３に係るデジタル複合機１は、各原稿ジョブの先頭ページの角折れの形状を出力形態及び出力先ごとに予め決めておくことによって、ユーザが設定値入力時にその出力形態を入力することなく、目的とする出力形態で画像処理を行うことができる。
【００４４】
本実施の形態においては、原稿の角折れの形状とそのときの画像データの出力形態及び出力先が、例えば図７のように予め決められ、設定記憶部１８に記憶されている。即ち、本実施の形態においては、図７の１に示すように、原稿ジョブの先頭ページについて左上の角が手前側（読み取り画像側）に折られている場合は、出力形態はファイルであり、出力先はファイルサーバ２１内の個人フォルダ内のフォルダ名「田中」のフォルダ内である。また同様に、図７に示される２、３、４、５について、角折れの形状：出力形態：出力先は、それぞれ以下の通りである。２：右上の角が手前側に折られている：ファイル：ファイルサーバ２１内の個人フォルダ内のフォルダ名「鈴木」のフォルダ、３：左上の角が奥側（読み取り画像面とは反対の面側）に折られている：ファイル：ファイルサーバ２１内の個人フォルダ内のフォルダ名「佐藤」のフォルダ、４：右上の角が奥側に折られている：Ｅ−ｍａｉｌ：ｓｕｚｕｋｉ＠ｅｍａｉｌ．ｃｏ．ｊｐのアドレス、５：右上及び左上の角が共に手前側に折られている：Ｅ−ｍａｉｌ：ｓａｔｏｈ＠ｅｍａｉｌ．ｃｏ．ｊｐのアドレス。
【００４５】
本実施の形態３において行われる画像データの処理方法について図８のフローチャートに基づいて説明する。各原稿ジョブは、その先頭ページの角部分が各出力形態に対応した形状に折り曲げられた状態で、全てまとめて重ねられ、ＡＤＦ１１の原稿載置台上にセットされる（Ｓ４１）。
【００４６】
次に、ユーザは操作表示部１７において、デジタル複合機１における画像処理動作の各設定を行う。先ず、複数の原稿ジョブを連続して読み取る連続モードの設定を行う（Ｓ４２）。次に、出力形態の設定を自動にするか否かの選択が行われる（Ｓ４３）。Ｓ４３において自動にしない（Ｎｏ）と選択された場合は、それぞれの原稿ジョブに対する出力先、また印刷を行う場合には印刷枚数などの各設定値を入力した後（Ｓ４４）、操作表示部１７のスタートボタンを押すことによって、実施の形態２と同様の処理が行われる（Ｓ４５）。
【００４７】
そして、Ｓ４３において自動にする（Ｙｅｓ）と選択された場合は、Ｓ４４をスキップし、操作表示部１７のスタートボタンを押すことによって、制御部１３から原稿読み込み指示がスキャナ装置１２へ出され（Ｓ４５）、原稿の読み込みが始まる（Ｓ４６）。このようにして、原稿載置台に置かれた各原稿ジョブは、ＡＤＦ１１によって１枚づつ自動搬送され、順次スキャナ装置１２へ送られる。スキャナ装置１２へ送られた１枚１枚の原稿は、その都度画像の読み取りが行なわれる。同時に、原稿識別部１４にて設定記憶部の情報に基づいて、その角の部分の形状の識別が行われる（Ｓ４７）。ここで、角折れがない（Ｎｏ）と識別されれば、画像処理部１５ではその一つ前の原稿と同じ出力形態にて画像処理が行われる（Ｓ５１）。一方、Ｓ４６にて角折れがある（Ｙｅｓ）と識別された場合には、操作表示部１７に警告音とともにその旨が表示され、ユーザに角折れがあることが報知される（Ｓ４８）。このとき、ユーザは次の原稿ジョブへの切り替えであるのか、何らかのトラブルによって出来た角折れをジョブの切り替わりと誤認したものであるのかを確認することができる（Ｓ４９）。Ｓ４９において、次の原稿ジョブであることが確認されれば（Ｙｅｓ）、設定記憶部１８の記憶情報に基づいて、画像処理部１５での出力形態に関する設定値が変更された後（Ｓ５０）、出力処理が行われる（Ｓ５１）。また、Ｓ４９において誤ってできた角折れであることが確認されれば（Ｎｏ）、設定値の変更は行われず、前回の原稿と同じ出力形態にて出力処理が行われる（Ｓ５１）。このようにして１枚の原稿について出力処理が行われた後、ＡＤＦ１１に次の原稿が有るか否かが確認される（Ｓ５２）。Ｓ５２において、次の原稿が有ると判断されれば（Ｙｅｓ）、Ｓ４６から再び同様の工程が繰り返される。また、Ｓ５２において、ＡＤＦ１１上の原稿載置台に残りの原稿は無いと判断されれば（Ｎｏ）、処理は終了する。
【００４８】
上記の構成によれば、画像の出力処理を行う場合に、毎回ユーザが出力形態などに関する設定を行う必要が無く、操作性が向上する。なお、角折れの形状の種類には限りがあるため、本実施の形態は個人利用やスモールオフィスでの利用に適している。また、出力形態の種類が多い印刷の場合は、手動モードで印刷条件を設定することが好ましい。
【００４９】
なお、本実施の形態３において、図７に示されるような角折れの形状（角折れの位置及び／又は向き）による出力形態及び出力先の区別は、本発明の一例であり、本発明はこの記載に限定されることなく、種々の角折れの形状によって出力形態及び出力先を区別することができる。
【００５０】
なお、上述の各実施の形態において、得られる出力画像を綺麗なものにするために、原稿の角折れの部分に発生する出力画像の影を消去して画像処理を行うようにしてもよい。
【００５１】
また、上述の各実施の形態においては、読み取り原稿の角の部分を折ることによって所定の形状を形成しているが、本発明はこれに限定することなく、例えば角の部分を適当な形状に切り取ってもよいし、また、出力形態に応じて切り取る形状を異ならせるようにしてもよい。これによれば、本実施の形態２及び３と同様に、原稿の角の部分の形状に応じて出力形態を確認したり、出力形態を異ならせたりすることができる。
【００５２】
【発明の効果】
以上のように、本発明の画像処理装置は、種類の異なる複数の原稿ジョブを読み取り、原稿ジョブごとに出力形態を異ならせて画像処理を行う画像処理装置において、読み取り原稿の角の部分において所定の形状を認識した場合に、原稿ジョブが切り替わったと識別する原稿識別手段と、前記原稿識別手段によって前記原稿ジョブが切り替わったと識別された場合に、画像データの出力形態を切り替える画像処理制御手段とが設けられていることを特徴としている。
【００５３】
上記の構成によれば、ある原稿ジョブと他の原稿ジョブとの境界のページとなる原稿の角の部分の形状を原稿ジョブが切り替わる目印となる所定の形状にしておけば、原稿識別手段は原稿ジョブが切り替わったことを認識し、設定された次の画像処理の出力形態へ切り替えることができる。これによって、複数の原稿ジョブを一括してまとめて原稿台にセッティングし、連続して画像の読み取りを行っても、原稿ジョブごとに目的とする出力形態で画像を出力させることができるので操作性が向上する。さらに、原稿ジョブを識別するためのジョブセパレータシートを用意する必要もなく、また原稿ジョブごとに総ページ数などの特徴がない場合でも、原稿の先頭ページの角を所定の形状にしておくことで簡単に複数ジョブを一括して読み取らせ、原稿ジョブごとに異なる画像処理を行うことができる。
【００５４】
前記画像処理装置において、前記読み取り原稿における角の部分の所定の形状は、角折れであることが好ましい。
【００５５】
上記の構成によれば、原稿ジョブの切り替えを行いたい読み取り原稿の角を折るという簡単な作業を行うだけで、原稿ジョブごとに画像の出力処理方法を分けることができる。また、読み取り原稿にマーキングをするなどして目印をつけると、原稿を元の状態に戻すことが面倒であるが、折るだけであれば原稿を容易に元の状態に戻すことができる。
【００５６】
前記画像処理装置において、前記原稿識別手段は、前記読み取り原稿の角折れの位置及び／又は向きによって原稿ジョブの出力形態を識別し、予め設定された原稿ジョブの出力形態と一致した場合に、当該読み取り原稿が原稿ジョブの先頭ページであると判断し、前記画像処理制御手段は、前記先頭ページの画像データの出力形態を、上記の予め設定された原稿ジョブの出力形態に切り替えるようにしてもよい。
【００５７】
上記の構成によれば、原稿を読み取る場合、ユーザが予め設定した次の原稿ジョブの出力形態と一致する形状の角折れを認識するまでは、他の形状の角折れは原稿ジョブの先頭ページを示すものではないと認識して、読み飛ばすことができる。そのため、迅速かつより正確に原稿ジョブの切り替えポイントを識別することができる。
【００５８】
前記画像処理装置において、前記原稿識別手段は、前記読み取り原稿の角折れの位置及び／又は向きによって、原稿ジョブの出力形態を識別し、前記画像処理制御手段は、前記原稿ジョブの出力形態に対応した画像処理に切り替えるようにしてもよい。
【００５９】
上記の構成によれば、画像を出力するときに毎回ユーザ設定を入力する必要がないため、操作性を向上させることができる。
【００６０】
前記画像処理装置はさらに、前記原稿識別手段が前記読み取り原稿の角の部分の所定の形状を認識した場合に、前記出力形態の切り替えを行って良いか否かを報知する報知手段を備えていてもよい。
【００６１】
上記の構成によれば、読み取り原稿の角折れを認識した場合に、ユーザが原稿ジョブを識別させるために意図的に作った角折れなのか、何らかのトラブルによって出来た角折れなのかを確認することができる。そのため、トラブルによって出来てしまった角折れによって原稿ジョブの種類が切り換わったと誤って判定されることを防止することができる。
【００６２】
前記画像処理装置において、前記画像処理制御手段は、前記読み取り原稿の角折れによって発生する出力画像の影を消去して画像処理を行ってもよい。
【００６３】
通常の画像処理では、角折れなどによって原稿の角が欠落している場合には、その部分の出力画像は影となるが、上記の構成によれば、その部分にも読み取り原稿があるものとして画像処理を行うため、得られる出力画像を綺麗にすることができる。
【００６４】
また、本発明の画像出力装置は、前記画像処理装置によって処理された画像データを出力することを特徴とするものである。上記の構成によれば、ジョブセパレータシートなどを必要とせず、簡単に原稿ジョブごとに目的とする出力形態で画像を出力させることができる。
【図面の簡単な説明】
【図１】本実施の形態１に係るデジタル複合機において実施される原稿ジョブごとの画像出力処理の切り替え方法を説明するためのフローチャートである。
【図２】本実施の形態１に係るデジタル複合機の構成を示すブロック図である。
【図３】本実施の形態１において複数の原稿ジョブからなる読み取り原稿を示す模式図である。
【図４】（ａ）は、図２に示すファイルサーバに備えられた個人フォルダを示す模式図である。（ｂ）は、図２に示す操作表示部にパネル表示された画面の一例を示すものであり、各原稿ジョブの詳細を示す模式図である。
【図５】（ａ）は、本実施の形態２におけるデジタル複合機における操作表示部にパネル表示された画面の一例を示すものであり、各原稿ジョブの詳細を示す模式図である。（ｂ）は、本実施の形態２において複数の原稿ジョブからなる読み取り原稿を示す模式図である。（ｃ）は、本実施の形態２において読み取り原稿の角折れの形状による出力形態の種別を示す模式図である。
【図６】本実施の形態２に係るデジタル複合機において実施される原稿ジョブごとの画像出力処理の切り替え方法を説明するためのフローチャートである。
【図７】本実施の形態３において読み取り原稿の角折れの形状による出力形態の種別を示す模式図である。
【図８】本実施の形態３に係るデジタル複合機において実施される原稿ジョブごとの画像出力処理の切り替え方法を説明するためのフローチャートである。
【符号の説明】
１　　デジタル複合機（画像出力装置）
１１　　ＡＤＦ
１２　　スキャナ装置
１３　　制御部（原稿識別手段・画像処理制御手段）
１４　　原稿識別部（原稿識別手段）
１５　　画像処理部（画像処理制御手段）
１６　　画像メモリ
１７　　操作表示部（報知手段）
１８　　設定記憶部
１９　　画像形成部
２０　　ネットワークＩ／Ｆ部
２１　　ファイルサーバ
２２　　ホストＰＣ　Ａ
２３　　ホストＰＣ　Ｂ
２４　　ホストＰＣ　Ｃ
【図１】
2004064437.tif 000003
【図２】
2004064437.tif 000004
【図３】
2004064437.tif 000005
【図４】
2004064437.tif 000006
【図５】
2004064437.tif 000007
【図６】
2004064437.tif 000008
【図７】
2004064437.tif 000009
【図８】
2004064437.tif 000010